(57)【要約】【課題】ある絵文字にどのような読み仮名が関連付けられているかを容易に確認することができる携帯情報端末を提供する。【解決手段】一覧表示部１０２は、絵文字の一覧を表示させる。選択部１０３は、絵文字の一覧の中から１つの絵文字の選択を受け付ける。読み仮名表示部１０５は、選択部１０３が選択した絵文字に関連付けられた読み仮名を表示させる。【選択図】図２
2012103768.tif 000002
【特許請求の範囲】
【請求項１】
絵文字と読み仮名とを関連付けて記憶する辞書記憶部と、
絵文字の一覧を表示させる一覧表示部と、
前記絵文字の一覧の中から１つの絵文字の選択を受け付ける絵文字選択部と、
前記絵文字選択部が選択した絵文字に関連付けられた読み仮名を表示させる読み仮名表示部と
を備えることを特徴とする携帯情報端末。
【請求項２】
前記読み仮名表示部が表示させた読み仮名の編集を受け付ける読み仮名編集部と、
前記編集部が受け付けた編集後の読み仮名を前記絵文字選択部が選択した絵文字に関連付けて前記辞書記憶部に上書き保存する上書き保存部と
を備えることを特徴とする請求項１に記載の携帯情報端末。
【請求項３】
文字列の編集を行う文字列編集部を備え、
前記絵文字選択部が絵文字の選択を受け付けている場合において、
自装置の第１のボタンを押下したとき、前記文字列編集部は、選択された絵文字を編集中の文字列に追加し、
自装置の第２のボタンを押下したとき、前記読み仮名編集部は、選択された絵文字の読み仮名の編集を受け付ける
ことを特徴とする請求項２に記載の携帯情報端末。
【請求項４】
画像を記憶する画像記憶部と、
前記画像記憶部が記憶する画像の読み仮名の入力を受け付ける読み仮名入力部と、
前記画像と前記読み仮名入力部が入力を受け付けた読み仮名とを関連付けて前記辞書記憶部に保存する追加保存部と
を備えることを特徴とする請求項１から請求項３の何れか１項に記載の携帯情報端末。
【請求項５】
絵文字と読み仮名とを関連付けて記憶する辞書記憶部を記憶する携帯情報端末の制御方法であって、
一覧表示部は、絵文字の一覧を表示させ、
絵文字選択部は、前記絵文字の一覧の中から１つの絵文字の選択を受け付け、
読み仮名表示部は、前記絵文字選択部が選択した絵文字に関連付けられた読み仮名を表示させる
ことを特徴とする制御方法。
【請求項６】
絵文字と読み仮名とを関連付けて記憶する辞書記憶部を備える携帯情報端末を、
絵文字の一覧を表示させる一覧表示部、
前記絵文字の一覧の中から１つの絵文字の選択を受け付ける絵文字選択部、
前記絵文字選択部が選択した絵文字に関連付けられた読み仮名を表示させる読み仮名表示部
として機能させるためのプログラム。
【発明の詳細な説明】
【技術分野】
【０００１】
本発明は、絵文字入力機能を有する携帯情報端末、制御方法、及びプログラムに関する。
【背景技術】
【０００２】
近年、携帯情報端末を用いて文章を入力する場合、ＪＩＳやＵＮＩＣＯＤＥ等で規定された文字のほかに、絵文字を文章に入力することができる。これらの絵文字は、携帯電話の文字入力モードを「絵文字モード」に切り替え、表示される絵文字の中から所望の絵文字を選択することで入力する。また、他の入力方法として、「かな入力モード」で入力した読み仮名を変換することで、当該読み仮名に関連付けられた絵文字を入力する方法がある。「絵文字モード」を用いる入力方法は、絵文字を入力する度に文字入力モードを切り替える必要があるため、読み仮名を変換する入力方法のほうがユーザの操作ステップが少ない。
【０００３】
特許文献１には、受信した電子メールに含まれる絵文字の変換前の単語を表示することで、絵文字の意味が分からないユーザにも電子メールの内容が分かるようにする技術が開示されている。
特許文献２には、絵文字の読み仮名を絵文字辞書に登録する技術が開示されている。
【先行技術文献】
【特許文献】
【０００４】
【特許文献１】特開２００１−１５５０１４号公報
【特許文献２】特開平６−９６０５６号公報
【発明の概要】
【発明が解決しようとする課題】
【０００５】
しかしながら、絵文字に関連付けられた読み仮名は、携帯情報端末の初期状態で既に設定されているものであり、利用者は、ある絵文字にどのような読み仮名が関連付けられているかを容易に確認することができないという問題がある。
特許文献１に記載の方法を用いた場合、電子メールの送信者が絵文字の変換に用いた単語を知ることができるが、ユーザは、当該絵文字を変換するための他の単語を知ることができない。
【課題を解決するための手段】
【０００６】
本発明は上記の課題を解決するためになされたものであり、絵文字と読み仮名とを関連付けて記憶する辞書記憶部と、絵文字の一覧を表示させる一覧表示部と、前記絵文字の一覧の中から１つの絵文字の選択を受け付ける絵文字選択部と、前記絵文字選択部が選択した絵文字に関連付けられた読み仮名を表示させる読み仮名表示部とを備えることを特徴とする携帯情報端末である。
【０００７】
また、本発明は、絵文字と読み仮名とを関連付けて記憶する辞書記憶部を記憶する携帯情報端末の制御方法であって、一覧表示部は、絵文字の一覧を表示させ、絵文字選択部は、前記絵文字の一覧の中から１つの絵文字の選択を受け付け、読み仮名表示部は、前記絵文字選択部が選択した絵文字に関連付けられた読み仮名を表示させることを特徴とする。
【０００８】
また、本発明は、絵文字と読み仮名とを関連付けて記憶する辞書記憶部を備える携帯情報端末を、絵文字の一覧を表示させる一覧表示部、前記絵文字の一覧の中から１つの絵文字の選択を受け付ける絵文字選択部、前記絵文字選択部が選択した絵文字に関連付けられた読み仮名を表示させる読み仮名表示部として機能させるためのプログラムである。
【発明の効果】
【０００９】
本発明によれば、携帯情報端末は、絵文字の一覧を表示するとき、選択された絵文字の読み仮名も表示する。これにより、利用者は、任意に選択された絵文字に関して、関連付けられた読み仮名を容易に確認することができる。
【図面の簡単な説明】
【００１０】
【図１】本発明の一実施形態による携帯情報端末の外観図である。
【図２】本発明の一実施形態による携帯情報端末の構成を示す概略ブロック図である。
【図３】携帯情報端末の動作を示す第１のフローチャートである。
【図４】携帯情報端末の画面例を示す第１の図である。
【図５】携帯情報端末の動作を示す第２のフローチャートである。
【図６】携帯情報端末の画面例を示す第２の図である。
【発明を実施するための形態】
【００１１】
以下、図面を参照しながら本発明の実施形態について詳しく説明する。
図１は、本発明の一実施形態による携帯情報端末１の外観図である。
携帯情報端末１は、ディスプレイ２、方向キー３、決定キー４（第１のボタン）、ソフトキー５（第２のボタン）、テンキー６を備える。
【００１２】
ディスプレイ２は、ＬＣＤ（Ｌｉｑｕｉｄ  Ｃｒｉｓｔａｌ  Ｄｉｓｐｌａｙ）などによって構成され、情報の表示を行う。
方向キー３は、ディスプレイ２に表示されたカーソルを上下左右方向に移動させる際に用いられる。
決定キー４は、ディスプレイ２に表示されたカーソルが指し示す情報に対して主な処理を実行する際に用いられる。
ソフトキー５は、ディスプレイ２に表示されたカーソルが指し示す情報に対して決定キー４の押下によって実行される処理と異なる処理を実行する際に用いられる。
テンキー６は、文字の入力を行う際に用いられる。
【００１３】
図２は、本発明の一実施形態による携帯情報端末１の構成を示す概略ブロック図である。
携帯情報端末１は、画像記憶部１０１、一覧表示部１０２、選択部１０３（絵文字選択部）、辞書記憶部１０４、読み仮名表示部１０５、文字列編集部１０６、機能選択部１０７、読み仮名編集部１０８（読み仮名入力部）、保存部１０９（上書き保存部、追加保存部）を備える。
【００１４】
画像記憶部１０１は、利用者が収集した画像データを記憶する。
一覧表示部１０２は、携帯情報端末１が利用できる絵文字の一覧をディスプレイ２に表示する。また、一覧表示部１０２は、画像記憶部１０１が記憶する画像の一覧をディスプレイ２に表示する。
選択部１０３は、一覧表示部１０２によって表示された絵文字または画像の一覧の中から１つの絵文字または画像の選択を受け付ける。なお、利用者は、方向キー３の押下によりディスプレイ２に表示されたカーソルを移動させることで、絵文字または画像の選択を行う。
辞書記憶部１０４は、絵文字または画像と読み仮名とを関連付けて記憶する。
読み仮名表示部１０５は、選択部１０３によって選択された絵文字または画像の読み仮名を辞書記憶部１０４から読み出し、ディスプレイ２に表示させる。
【００１５】
文字列編集部１０６は、電子メールなどの文章の編集を行い、選択部１０３が絵文字または画像を選択している状態で決定キー４が押下された場合に、選択されていた絵文字または画像を編集中の文字列に追加する。
機能選択部１０７は、選択部１０３が絵文字または画像を選択している状態でソフトキー５が押下された場合に、選択されていた絵文字または画像に対する処理を選択する機能メニューをディスプレイ２に表示させる。当該機能メニューには、少なくとも読み仮名を編集する機能が含まれる。
読み仮名編集部１０８は、機能メニューにおいて読み仮名を編集する機能が選択された場合に、選択部１０３によって選択されていた絵文字または画像の読み仮名の編集を受け付ける。
保存部１０９は、読み仮名編集部１０８が編集した読み仮名を、選択部１０３が選択した絵文字または画像に関連付けて辞書記憶部１０４に上書き保存する。
【００１６】
携帯情報端末１は、上記構成を備えることで、以下の処理を実行する。すなわち、一覧表示部１０２は、絵文字の一覧を表示させ、選択部１０３は、絵文字の一覧の中から１つの絵文字の選択を受け付け、読み仮名表示部１０５は、選択部１０３が選択した絵文字に関連付けられた読み仮名を表示させる。
これにより、利用者は、任意に選択された絵文字に関して、関連付けられた読み仮名を容易に確認することができる。
【００１７】
次に、携帯情報端末１の動作を説明する。まず、携帯情報端末１による絵文字の一覧の表示、及び絵文字の読み仮名の編集処理について説明する。
図３は、携帯情報端末１の動作を示す第１のフローチャートである。
図４は、携帯情報端末１の画面例を示す第１の図である。
ユーザが、携帯情報端末１の電子メール機能などによって文章を作成しているときに、文字入力モードを「絵文字モード」に変更すると、一覧表示部１０２は、ディスプレイ２に絵文字の一覧と絵文字を選択するカーソルとを表示させる（ステップＳ１）。なお、初期状態においてカーソルは、絵文字の一覧の左上に配置された絵文字を指し示す。つまり、初期状態において選択部１０３は、絵文字の一覧の左上に配置された絵文字を選択する。
【００１８】
次に、読み仮名表示部１０５は、選択部１０３が選択した絵文字に関連付けられた読み仮名を辞書記憶部１０４から読み出し、当該読み仮名を全てディスプレイ２に表示させる（ステップＳ２）。具体的には、ディスプレイ２は、図４（Ａ）に示すように、絵文字の一覧の下方に、選択された絵文字の読み仮名を表示する。なお、読み仮名が多い場合や読み仮名が長い場合など、読み仮名が表示される領域内に読み仮名を全て表示できない場合、読み仮名表示部１０５は、初期表示状態を所定の時間（例えば、１秒）維持した後、読み仮名の文字列を自動的に左方向へスクロールさせることで、全ての読み仮名を表示させることができる。
【００１９】
次に、選択部１０３は、利用者が方向キー３を押下することで選択する絵文字が変更されたか否かを判定する（ステップＳ３）。選択部１０３が、選択する絵文字が変更されたと判定した場合（ステップＳ３：ＹＥＳ）、ステップＳ２に戻り、新たに選択された絵文字の読み仮名を表示させる。
【００２０】
他方、選択部１０３が、選択する絵文字に変更がないと判定した場合（ステップＳ３：ＮＯ）、文字列編集部１０６は、決定キー４が押下されたか否かを判定する（ステップＳ４）。文字列編集部１０６は、決定キー４が押下されたと判定した場合（ステップＳ４：ＹＥＳ）、現在編集中の文字列に当該絵文字を追加する（ステップＳ５）。
【００２１】
他方、文字列編集部１０６が、決定キー４が押下されていないと判定した場合（ステップＳ４：ＮＯ）、機能選択部１０７は、ソフトキー５が押下されたか否かを判定する（ステップＳ６）。機能選択部１０７が、ソフトキー５が押下されたと判定した場合（ステップＳ６：ＹＥＳ）、機能選択部１０７は、選択された絵文字に対する機能を選択させる機能メニューを表示させる（ステップＳ７）。具体的には、ディスプレイ２は、図４（Ｂ）に示すように、画面の最前面に、機能メニューを表示する。この機能メニューには、少なくとも絵文字の読み仮名を編集する機能が含まれる。なお、機能メニューに表示された機能の選択は、方向キー３によってカーソルを移動させ、カーソルが所望の機能を指し示すときに、決定キー４を押下することで行う。
【００２２】
次に、機能選択部１０７は、表示した機能メニューのうち、絵文字の読み仮名を編集する機能が選択されたか否かを判定する（ステップＳ８）。機能選択部１０７が、絵文字の読み仮名を編集する機能が選択されたと判定した場合（ステップＳ８：ＹＥＳ）、読み仮名編集部１０８は、選択部１０３によって選択された絵文字の読み仮名の編集画面をディスプレイ２に表示させ、読み仮名の編集を受け付ける（ステップＳ９）。具体的には、ディスプレイ２は、図４（Ｃ）に示すように、文章の入力画面に変えて読み仮名編集画面を表示する。このとき、読み仮名編集画面は、選択部１０３によって選択された絵文字の読み仮名が予め入力された状態となっている。なお、読み仮名の入力は、テンキー６の押下によって行い、決定キー４の押下によって読み仮名を確定する。なお、複数の読み仮名を入力する場合は、各読み仮名の間にスペース文字を入力することで、それぞれの読み仮名を分離する。
【００２３】
読み仮名編集部１０８が読み仮名の入力の確定を受け付けると、上書き保存部は、読み仮名編集部１０８が編集を受け付けた読み仮名を、選択部１０３が選択した絵文字に関連付けて、辞書記憶部１０４に上書き保存する（ステップＳ１０）。
【００２４】
ステップＳ５で選択された絵文字を文字列に追加した場合、ステップＳ６でソフトキー５が押下されていないと判定した場合（ステップＳ６：ＮＯ）、ステップＳ８で絵文字の読み仮名を編集する機能が選択されなかったと判定した場合（ステップＳ８：ＮＯ）、またはステップＳ１０で読み仮名を上書き保存した場合、文字列編集部１０６は、「絵文字モード」を終了するか否かを判定する（ステップＳ１１）。「絵文字モード」を終了する場合とは、例えば文字入力モードを他のモードに変更する場合や、文章の入力が完了した場合などが挙げられる。
【００２５】
文字列編集部１０６が、「絵文字モード」を終了しないと判定した場合（ステップＳ１１：ＮＯ）、ステップＳ２に戻り、選択された絵文字の読み仮名の表示を行う。なお、ステップＳ１０で読み仮名が上書きされた場合において、読み仮名を編集した絵文字を選択すると、ディスプレイ２は、図４（Ｄ）に示すように、ステップＳ１０で上書きした読み仮名を表示することとなる。
他方、文字列編集部１０６が、「絵文字モード」を終了すると判定した場合（ステップＳ１１：ＹＥＳ）、携帯情報端末１は、絵文字の一覧表示を行う処理を終了する。
【００２６】
このように、本実施形態によれば、携帯情報端末１は、絵文字の一覧の中から１つの絵文字の選択を受け付け、選択した絵文字に関連付けられた読み仮名をディスプレイ２に表示させる。これにより、利用者は、ある絵文字がどのような読み仮名に関連付けられているかを容易に確認することができる。
【００２７】
また、本実施形態によれば、携帯情報端末１は、選択された絵文字の読み仮名の編集を受け付け、編集後の読み仮名を選択された絵文字に関連付けて、辞書記憶部１０４に上書き保存する。これにより、利用者は、ある絵文字に対して任意の読み仮名をつけることができる。
【００２８】
また、本実施形態によれば、選択部１０３が絵文字の選択を受け付けている場合において、携帯情報端末１は、決定キー４を押下したとき、選択された絵文字を編集中の文字列に追加し、ソフトキー５を押下したとき、選択された絵文字の読み仮名の編集を受け付ける。つまり、本実施形態によれば、電子メールの作成中など文字列の編集中に、絵文字の読み仮名の編集を行うことができる。これにより、利用者は、わざわざ「絵文字辞書機能」などの特定の機能を実行することなく、任意の場面において絵文字の読み仮名の編集を行うことができる。
【００２９】
次に、利用者が収集した画像を新たな絵文字として登録する動作を説明する。近年の携帯情報端末１では、携帯情報端末１において予め定められた絵文字以外に、利用者が収集した画像を絵文字として用いることができる。以下では、このように携帯情報端末１を用いて文字列中に画像を入力する「画像入力モード」における処理を説明する。
図５は、携帯情報端末１の動作を示す第２のフローチャートである。
図６は、携帯情報端末１の画面例を示す第２の図である。
ユーザが、携帯情報端末１の電子メール機能などによって文章を作成しているときに、文字入力モードを「画像入力モード」に変更すると、一覧表示部１０２は、画像記憶部１０１から画像を読み出し、ディスプレイ２に画像の一覧と画像を選択するカーソルとを表示させる（ステップＳ２１）。なお、初期状態においてカーソルは、一覧の左上に配置された画像を指し示す。つまり、初期状態において選択部１０３は、一覧の左上に配置された画像を選択する。
【００３０】
次に、読み仮名表示部１０５は、選択部１０３が選択した画像に関連付けられた読み仮名を辞書記憶部１０４から読み出し、当該読み仮名をディスプレイ２に表示させる（ステップＳ２２）。具体的には、ディスプレイ２は、図６（Ａ）に示すように、画像の一覧の下方に、選択された画像の読み仮名を表示する。なお、画像に読み仮名が設定されていない場合は、読み仮名が表示される領域内に空白が表示される。
【００３１】
次に、選択部１０３は、利用者が方向キー３を押下することで選択する画像が変更されたか否かを判定する（ステップＳ２３）。選択部１０３が、選択する画像が変更されたと判定した場合（ステップＳ２３：ＹＥＳ）、ステップＳ２２に戻り、新たに選択された画像の読み仮名を表示させる。
【００３２】
他方、選択部１０３が、選択する画像に変更がないと判定した場合（ステップＳ２３：ＮＯ）、文字列編集部１０６は、決定キー４が押下されたか否かを判定する（ステップＳ２４）。文字列編集部１０６は、決定キー４が押下されたと判定した場合（ステップＳ２４：ＹＥＳ）、画像記憶部１０１から、選択部１０３が選択する画像を読み出し、現在編集中の文字列に当該画像を追加する（ステップＳ２５）。
【００３３】
他方、文字列編集部１０６が、決定キー４が押下されていないと判定した場合（ステップＳ２４：ＮＯ）、機能選択部１０７は、ソフトキー５が押下されたか否かを判定する（ステップＳ２６）。機能選択部１０７が、ソフトキー５が押下されたと判定した場合（ステップＳ２６：ＹＥＳ）、機能選択部１０７は、選択された画像に対する機能を選択させる機能メニューを表示させる（ステップＳ２７）。具体的には、ディスプレイ２は、図６（Ｂ）に示すように、画面の最前面に、機能メニューを表示する。この機能メニューには、少なくとも画像の読み仮名を編集する機能が含まれる。
【００３４】
次に、機能選択部１０７は、表示した機能メニューのうち、画像の読み仮名を編集する機能が選択されたか否かを判定する（ステップＳ２８）。機能選択部１０７が、画像の読み仮名を編集する機能が選択されたと判定した場合（ステップＳ２８：ＹＥＳ）、読み仮名編集部１０８は、選択部１０３によって選択された画像の読み仮名の編集画面をディスプレイ２に表示させ、読み仮名の編集を受け付ける（ステップＳ２９）。具体的には、ディスプレイ２は、図６（Ｃ）に示すように、文章の入力画面に変えて読み仮名編集画面を表示する。
【００３５】
読み仮名編集部１０８が読み仮名の入力の確定を受け付けると、上書き保存部は、読み仮名編集部１０８が編集を受け付けた読み仮名を、選択部１０３が選択した画像に関連付けて、辞書記憶部１０４に保存する（ステップＳ３０）。なお、辞書記憶部１０４に既に同じ画像の読み仮名が記憶されている場合は、当該読み仮名に上書き保存し、辞書記憶部１０４に同じ画像の読み仮名が記憶されていない場合は、読み仮名と画像との組み合わせを追加保存する。
【００３６】
ステップＳ２５で選択された画像を文字列に追加した場合、ステップＳ２６でソフトキー５が押下されていないと判定した場合（ステップＳ２６：ＮＯ）、ステップＳ２８で画像の読み仮名を編集する機能が選択されなかったと判定した場合（ステップＳ２８：ＮＯ）、またはステップＳ３０で読み仮名を保存した場合、文字列編集部１０６は、「画像入力モード」を終了するか否かを判定する（ステップＳ３１）。
【００３７】
文字列編集部１０６が、「画像入力モード」を終了しないと判定した場合（ステップＳ３１：ＮＯ）、ステップＳ３２に戻り、選択された画像の読み仮名の表示を行う。なお、ステップＳ３０で読み仮名が保存された場合において、読み仮名を編集した画像を選択すると、ディスプレイ２は、図６（Ｄ）に示すように、ステップＳ３０で保存した読み仮名を表示することとなる。
他方、文字列編集部１０６が、「画像入力モード」を終了すると判定した場合（ステップＳ３１：ＹＥＳ）、携帯情報端末１は、画像の一覧表示を行う処理を終了する。
【００３８】
このように、本実施形態によれば、携帯情報端末１は、画像記憶部１０１が記憶する画像の読み仮名の入力を受け付け、入力を受け付けた読み仮名と画像とを関連付けて辞書記憶部１０４に保存する。これにより、利用者は、絵文字に限られず、自身が収集した画像についても、かな入力による入力方法を用いることができる。
【００３９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４０】
上述の携帯情報端末１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１…携帯情報端末  ２…ディスプレイ  ３…方向キー  ４…決定キー  ５…ソフトキー  ６…テンキー  １０１…画像記憶部  １０２…一覧表示部  １０３…選択部  １０４…辞書記憶部  １０５…読み仮名表示部  １０６…文字列編集部  １０７…機能選択部  １０８…読み仮名編集部  １０９…保存部
【図１】
2012103768.tif 000003
【図２】
2012103768.tif 000004
【図３】
2012103768.tif 000005
【図４】
2012103768.tif 000006
【図５】
2012103768.tif 000007
【図６】
2012103768.tif 000008